(57)【要約】【課題】場所をとらずに、設置撤去作業を効率よく実施できるようにする。【解決手段】配筋される位置に鉄筋５を支持自在な鉄筋支持柱材１を設け、鉄筋支持柱材１に、足場２を支持自在な支持用治具３を、着脱自在に取り付けてあり、支持用治具３を介して、足場２が鉄筋支持柱材１に支持されている。【選択図】図１
2015113695.tif 000002
【特許請求の範囲】
【請求項１】
配筋される位置に鉄筋を支持自在な鉄筋支持柱材を設け、
前記鉄筋支持柱材に、足場を支持自在な支持用治具を、着脱自在に取り付けてあり、
前記支持用治具を介して、前記足場が前記鉄筋支持柱材に支持されている足場支持構造。
【請求項２】
前記支持用治具は、前記鉄筋支持柱材に掛止自在に構成してあり、
前記鉄筋支持柱材には、前記支持用治具を掛止自在な被掛止部を複数備えている請求項１に記載の足場支持構造。
【請求項３】
前記鉄筋支持柱材は、伸縮自在に連結された複数の分割柱材で構成してあり、
前記複数の分割柱材の内の少なくとも二つ以上の分割柱材に、前記被掛止部がそれぞれ設けてある請求項１又は２に記載の足場支持構造。
【発明の詳細な説明】
【技術分野】
【０００１】
本発明は、例えば、基礎梁や柱脚等の鉄筋が配筋される環境下において、支持柱材によって足場が支持されている足場支持構造に関する。
【背景技術】
【０００２】
従来、基礎梁や柱脚等の鉄筋が配筋される時には、図５に示すように、捨てコンクリート４上に、梁鉄筋５を支持するための鉄筋支持柱材１を立設し、その鉄筋支持柱材１を使用して梁鉄筋５を組み立てることが実施されている。
鉄筋支持柱材１は、鋼製パイプ製であり、下端部には、捨てコンクリート４に固定されるベース部１Ａを備え、上端部には、水平方向に延在する状態にかんざし部１Ｃを備えており、そのかんざし部１Ｃの上に、各梁上端筋５Ａを載置状態に支持させ、それらの梁上端筋５Ａにスターラップ５Ｂや梁下端筋５Ｃを順次配筋していくことによって梁鉄筋５を所定の位置に組み立てることが実施されている（例えば、特許文献１参照）。
また、梁鉄筋５の近傍に仮設足場を設置する場合は、足場用鋼製パイプやそれらを連結するクランプを使用して、前記鉄筋支持柱材１とは別に足場が形成される。
その足場支持構造の一例としては、捨てコンクリート上に複数の柱パイプを立設すると共に、隣接する柱パイプにわたって梁パイプを一体に連結し、隣接する梁パイプにわたって足場板が載置された構造が挙げられる。
【先行技術文献】
【特許文献】
【０００３】
【特許文献１】特開平７−２６９１２２号公報（図７，図８）
【発明の概要】
【発明が解決しようとする課題】
【０００４】
上述した従来の足場支持構造によれば、縦横に多数の鉄筋が設置されている現場環境において、足場用柱パイプや梁パイプを設置する必要があることから、狭い空間での作業となり、極めて設置効率が低くなる虞がある。また、同様に、足場の撤去に関しても効率が低い虞がある。
また、設置した足場用柱パイプや梁パイプの存在によって、周囲空間が、より狭くなり、近傍で実施される他工程の作業効率をも低下させる虞がある。
【０００５】
従って、本発明の目的は、上記問題点を解消し、場所をとらずに、設置撤去作業を効率よく実施できる足場支持構造を提供するところにある。
【課題を解決するための手段】
【０００６】
本発明の第１の特徴構成は、配筋される位置に鉄筋を支持自在な鉄筋支持柱材を設け、前記鉄筋支持柱材に、足場を支持自在な支持用治具を、着脱自在に取り付けてあり、前記支持用治具を介して、前記足場が前記鉄筋支持柱材に支持されているところにある。
【０００７】
本発明の第１の特徴構成によれば、鉄筋を支持する鉄筋支持柱材に、支持用治具を取り付けることで、鉄筋のみならず足場までも、鉄筋支持柱材で支持できるようになる。
従って、従来であれば、鉄筋支持柱材とは別に設置していた足場用柱パイプ等を設ける必要が無く、仮設材や足場設置撤去の工数を低減できると共に、省スペース化を図れるようになる。
その結果、足場設置を含む前後工程の工期短縮を叶えることができ、工事全体としての経済性の向上を叶えることができる。
【０００８】
本発明の第２の特徴構成は、前記支持用治具は、前記鉄筋支持柱材に掛止自在に構成してあり、前記鉄筋支持柱材には、前記支持用治具を掛止自在な被掛止部を複数備えているところにある。
【０００９】
本発明の第２の特徴構成によれば、支持用治具を鉄筋支持柱材に着脱する際、被掛止部に掛止させるだけの簡単な操作によって実施できるから、効率よく足場設置撤去を行えるようになる。
また、被掛止部は、鉄筋支持柱材に複数設けられているから、一つの支持用治具を、複数の被掛止部の内の一つに選択的に着脱することができ、例えば、足場の設置方向に合わせて都合の良い任意の被掛止部に支持用治具を取り付けて足場を設置することができる。
また、複数の支持用治具を用意して、複数の被掛止部に対して、それぞれ掛止させることもでき、例えば、方向の異なる複数の足場を、複数の支持用治具を介して各別に支持することが可能となる。
【００１０】
本発明の第３の特徴構成は、前記鉄筋支持柱材は、伸縮自在に連結された複数の分割柱材で構成してあり、前記複数の分割柱材の内の少なくとも二つ以上の分割柱材に、前記被掛止部がそれぞれ設けてあるところにある。
【００１１】
本発明の第３の特徴構成によれば、分割柱材どうしを伸縮方向に沿って移動させることによって鉄筋支持柱材を伸縮させることができ、それに伴って、少なくとも二つ以上の分割柱材に備えられている被掛止部どうしの相対的な高さ位置も変更することができる。
従って、上下に離間した位置に各被掛止部を位置させて、それぞれに支持用治具を掛止させれば、高さの異なる多重の足場を設置することができる。これは、例えば、鉄筋の配筋作業において、高さ位置の異なる配筋を、足場の上に立って行うような場合に、特に有効である。即ち、配筋の高さ位置が異なる場合、足場の高さ位置もそれぞれに対応して異なっている方が自然な作業姿勢をとることができ、配筋作業の効率が向上する。
また、異なる使用例としては、下方の被掛止部に掛止させた支持用治具には足場を支持させ、上方の被掛止部に掛止させた支持用治具には、例えば、手摺りを支持させたり、また、安全帯の落下防止用「親綱」を支持させたりすることも可能となる。
【図面の簡単な説明】
【００１２】
【図１】足場支持構造を示す立面図
【図２】足場支持構造を示す要部の斜視図
【図３】足場支持構造を示す要部の斜視図
【図４】別実施形態の支持用治具の取付状態を示す側面図
【図５】従来の鉄筋支持構造を示す立面図
【発明を実施するための形態】
【００１３】
以下に本発明の実施の形態を図面に基づいて説明する。尚、図面において従来例と同一の符号で表示した部分は、同一又は相当の部分を示している。
【００１４】
図１は、本発明の足場支持構造の一実施形態を示すもので、基礎梁の配筋に使用している鉄筋支持柱材１を利用して、足場２を支持させてある状況を示している。
足場２は、鉄筋支持柱材１に着脱自在に形成された支持用治具３を介して支持されている。
【００１５】
鉄筋支持柱材１は、金属製で、基礎の捨てコンクリート４の上に設置自在な幅広のベース部１Ａと、ベース部１Ａに対して立設状態に取り付けられた柱部１Ｂと、柱部１Ｂから横方向に張り出す状態に取り付けられて梁鉄筋（鉄筋に相当）５を載置支持自在なかんざし部１Ｃとを備えて構成してある。
鉄筋支持柱材１は、平面視で縦横に間隔を空けた位置に、それぞれ配置されている。
【００１６】
ベース部１Ａは、鉄筋支持柱材１が転倒し難い状態を維持できるように、柱部１Ｂより幅広の、例えば、平面視の形状が正方形に形成してあり、且つ、かんざし部１Ｃでの梁鉄筋５の支持に対する充分な曲げ剛性を備えている。
【００１７】
柱部１Ｂは、図１、図２に示すように、上下にスライド自在に連結された二本の分割柱材６によって構成してある。分割柱材６は、基端部をベース部１Ａに固着されたアングル部材製の第１分割柱材６Ａと、第１分割柱材６Ａに対して長手方向に沿ってスライド自在に連結されたアングル部材製の第２分割柱材６Ｂとで構成してある。
第１分割柱材６Ａは、長手方向の複数箇所に、図２に示すように、内嵌させた第２分割柱材６Ｂが径方向に離脱するのを防止する囲繞部６Ａａを備えている。また、この囲繞部６Ａａには、第２分割柱材６Ｂを固定するためのボルトＢが螺着してある。
【００１８】
従って、両分割柱材６どうしをアングルの凹部どうしが対向する姿勢で、且つ、囲繞部６Ａａと第１分割柱材６Ａとの間に、第２分割柱材６Ｂが位置する状態に配置し、ボルトＢを締め込めば、ボルトＢの先端部で第２分割柱材６Ｂを第１分割柱材６Ａ側に押し当てることになり、両者は摩擦力によってスライドを阻止された状態に固定される。
また、ボルトＢを緩めると、両分割柱材６を長手方向に沿ってスライドさせることができる。即ち、分割柱材６どうしは、伸縮自在に連結されている。
【００１９】
両分割柱材６どうしの伸縮状態は、図２、図３に示すとおりである。
図２は、収縮状態を示し、図３は、伸長状態を示している。
【００２０】
両分割柱材６の上端縁部は、それぞれ、後述する支持用治具３を掛止自在な被掛止部６Ｃとなる。即ち、第１分割柱材６Ａの上端縁部のアングルの２辺、及び、第２分割柱材６Ａの上端縁部のアングルの２辺、それぞれが被掛止部６Ｃとなり、これら複数の被掛止部６Ｃに対して、支持用治具３をそれぞれ掛止することができる。
【００２１】
かんざし部１Ｃは、例えば、アングル材や鉄筋によって構成してあり、柱部１Ｂの側面部に、側面視で交差する姿勢に溶接固定してある。当該実施形態においては、第１分割柱材６Ａの上端部近傍に固定してある。
また、このように固定されたかんざし部１Ｃの上には、梁鉄筋５の梁上端筋５Ａが平面視で交差する姿勢に載置支持される。
因みに、梁鉄筋５は、図１に示すように、梁上端筋５Ａの他に、スターラップ５Ｂや梁下端筋５Ｃ等があり、それらは、かんざし部１Ｃに支持されている梁上端筋５Ａから吊り下げられた状態で支持されている。
【００２２】
足場２は、図２、図３に示すように、平面視で隣接する各鉄筋支持柱材１の柱部１Ｂにわたって、支持用治具３を介して載置支持される金属パイプ製の根太部材２Ａと、平面視で隣接する別の根太部材２Ａにわたって載置支持される帯板形状の足場板２Ｂとを備えて構成してある。
図には示していないが、足場板２Ｂと根太部材２Ａ、及び、根太部材２Ａと支持用治具３とは、例えば、番線等を使用して締結しておくことが、安定支持の観点で好ましく、飛び跳ね防止を図ることができる。
【００２３】
支持用治具３は、図２、図３に示すように、矩形形状の金属厚肉板で構成してあり、短辺が縦方向に沿う縦姿勢にした状態で、下方に開口するスリット３ａと、上方に開口する凹部３ｂとを備えている。
スリット３ａは、縦長形状に形成してあり、分割柱材６の被掛止部６Ｃに掛止できるように寸法設定されている。このスリット３ａを掛止部という。
凹部３ｂは、根太部材２Ａを係合できるように凹部幅が根太部材２Ａの外径寸法より若干大きく設定してあると共に、凹部底が半円形に形成されている。
分割柱材６への取り付けは、スリット３ａを、分割柱材６の上端縁部の被掛止部６Ｃに被せて掛止させるだけで実施できる。また、分割柱材６から取り外す際は、単純に、支持用治具３を上方に持ち上げるだけで掛止解除できる。
【００２４】
本実施形態の足場支持構造によれば、梁鉄筋５のみならず足場２までも、同じ鉄筋支持柱材１で支持できるようになり、足場支持用の仮設材や足場設置撤去の工数を低減できると共に、省スペース化を図れるようになる。
その結果、足場設置を含む前後工程の工期短縮や、工事全体としての経済性の向上を叶えることができる。
また、一つの鉄筋支持柱材１に複数の支持用治具３を設置できると共に（図２参照）、それらの上下位置も複数に設定できるから（図３参照）、平面的に複数方向の足場２を支持できたり、高さの異なる多重の足場２を支持することができ、当該足場２を使用した作業を、無理のない姿勢でより円滑に進めることが可能となる。
更には、上下多段の支持用治具３を使用して、足場と手摺りの支持や、足場と安全帯の落下防止用「親綱」の支持を叶えることも可能となる。
【００２５】
〔別実施形態〕
以下に他の実施の形態を説明する。
【００２６】
〈１〉  鉄筋支持柱材１は、先の実施形態で説明した梁鉄筋を支持するものに限るものではなく、他の箇所の鉄筋を支持するものであってもよい。
また、ベース部１Ａや、柱部１Ｂや、かんざし部１Ｃの各構成の変更も可能で、例えば、柱部１Ｂは、アングル部材によって構成してあるものに限らず、筒部材（円筒、角筒等）であってもよい。更には、二つの分割柱材で構成することに限らず、三つ以上の分割柱材で構成してあったり、一つの柱材で構成してあってもよい。また、伸縮自在に構成されていなくてもよい。
【００２７】
〈２〉  支持用治具３は、先の実施形態で説明したものに限るものではなく、各部の形状変更は可能である。
また、図４に示すように、脱落防止機構Ｄを備えて構成してあってもよい。
この支持用治具３は、帯板を『ｎ』字形状に屈曲形成した掛止部３Ａと、足場クランプ状のクランプ部３Ｂとを一体に備えて構成してある。
掛止部３Ａは、柱部１Ｂの上端縁部が進入自在な隙間ｓを空けて対向する基面部３Ａａと、対面部３Ａｂと、それらの上端どうしにわたって連結する連結部３Ａｃとを一体に備えて構成してあり、柱部１Ｂの上端縁部に形成された被掛止部６Ｃに対して、掛止自在、及び、掛止解除自在に形成されている。図に示すように、掛止部３Ａの隙間ｓを、被掛止部６Ｃの上方に位置させて、掛止部３Ａを下降させることで、掛止部３Ａが被掛止部６Ｃに被さり、簡単に掛止させることができる。
また、掛止部３Ａのクランプ部３Ｂとの接合辺となる基面部３Ａａには、クランプ部３Ｂの基面部３Ｂａとにわたって貫通するボルト挿通孔ｈ、及び、ナットｎが設けてある。ナットｎには、クランプ部３Ｂ側に拡径頭部を配置したボルト７が、ボルト挿通孔ｈを通して螺合されている。このボルト７を螺進させることで、ボルト先端部が柱部１Ｂの被掛止部６Ｃに当接し、対面部３Ａｂとの間に挟み込むことで掛止部３Ａを被掛止部６Ｃに固定することができる。このボルト７によって脱落防止機構Ｄが構成されている。
クランプ部３Ｂは、掛止部３Ａと一体化された基面部３Ｂａと、基面部３Ｂａの湾曲下端部に枢支連結された湾曲対面部３Ｂｂと、基面部３Ｂａの上端部に枢支連結されて湾曲対面部３Ｂｂの上端部に係合するクランプボルト３Ｂｃとを備えて構成してある。
基面部３Ｂａと湾曲対面部３Ｂｂとの間に、根太部材２Ａを位置させた状態で、湾曲対面部３Ｂｂを基面部３Ｂａに近接する方向に揺動させ、クランプボルト３Ｂｃを、湾曲対面部３Ｂｂ側に揺動させて係合及び固定することで、根太部材２Ａをクランプ部３Ｂで囲繞でき、支持用治具３に固定することができる。このクランプ部３Ｂによっても脱落防止機構Ｄが構成されている。
従って、鉄筋支持柱材１に対して、支持用治具３を固定することができると共に、支持用治具３に足場２の根太部材２Ａを固定することができ、足場２上の歩行に伴う飛び跳ねが生じ難くなり、足場材や支持用治具３を安定した状態に設置することができる。
【００２８】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２９】
１      鉄筋支持柱材
２      足場
３      支持用治具
５      梁鉄筋（鉄筋に相当）
６      分割柱材
６Ｃ    被掛止部
【図１】
2015113695.tif 000003
【図２】
2015113695.tif 000004
【図３】
2015113695.tif 000005
【図４】
2015113695.tif 000006
【図５】
2015113695.tif 000007